(57)【特許請求の範囲】
【請求項１】
カメラと、
前記カメラに着脱自在に装着される補助機器とを備え、
前記補助機器が、一時的に撮像データまたは画像データを格納可能な補助内蔵メモリを内蔵し、
前記カメラが、
撮像データを処理して画像データを生成する画像処理部と、
一時的に撮像データあるいは画像データを格納可能な本体側内蔵メモリと、
画像データが記録され、前記カメラに着脱自在に装着される携帯型メモリとを有し、
前記画像処理部が、前記携帯型メモリに画像データが記録される前に、撮像データまたは画像データを前記補助内蔵メモリへ一時的に格納することを特徴とするカメラシステム。
【請求項２】
前記補助機器が、補助画像処理部をさらに有し、
前記補助画像処理部が、前記補助内蔵メモリに格納された撮像データを処理して画像データを生成することを特徴とする請求項１に記載のカメラシステム。
【請求項３】
前記カメラが、前記補助機器の接続を検出する接続検出手段を有し、
前記画像処理部が、前記補助機器が接続されていることが検出されると、撮像データを前記補助内蔵メモリへ格納させることを特徴とする請求項１乃至２のいずれかに記載のカメラシステム。
【請求項４】
前記補助機器が、補助携帯型メモリをさらに有し、
前記補助画像処理部が、生成した画像データを前記補助携帯型メモリへ記録することを特徴とする請求項２乃至３のいずれかに記載のカメラシステム。
【請求項５】
前記カメラが、連写撮影動作処理を実行する連写撮影動作処理手段を有することを特徴とする請求項１に記載のカメラシステム。
【請求項６】
一時的に撮像データまたは画像データを格納可能な補助内蔵メモリを内蔵する補助機器が着脱自在に装着され、
撮像データを処理して画像データを生成する画像処理部と、
一時的に撮像データあるいは画像データを格納可能な本体側内蔵メモリと、
画像データが記録され、前記カメラに着脱自在に装着される携帯型メモリとを備え、
前記画像処理部が、前記携帯型メモリに画像データが記録される前に、撮像データまたは画像データを前記補助内蔵メモリへ一時的に格納することを特徴とするカメラ。
【請求項７】
カメラと、
前記カメラに着脱自在に装着される補助機器とを備え、
前記補助機器が、
一時的に撮像データまたは画像データを格納可能な補助内蔵メモリと、
前記補助内蔵メモリに格納された撮像データを処理して画像データを生成する補助画像処理部とを有し、
前記カメラが、
撮像データを処理して画像データを生成する画像処理部と、
一時的に撮像データあるいは画像データを格納可能な本体側内蔵メモリと、
画像データが記録され、前記カメラに着脱自在に装着される携帯型メモリとを有し、
前記画像処理部が、撮像データを前記補助内蔵メモリへ格納し、
前記補助画像処理部が、前記補助内蔵メモリへ格納された撮像データを処理して画像データを生成し、生成した画像データを前記補助内蔵メモリへ一時的に格納し、
前記画像処理部が、前記補助内蔵メモリへ格納された画像データを前記携帯型メモリへ記録することを特徴とするカメラシステム。
【請求項８】
一時的に撮像データまたは画像データを格納可能な補助内蔵メモリと、前記補助内蔵メモリに格納された撮像データを処理して画像データを生成する補助画像処理部とを有する補助機器が着脱自在に装着され、
撮像データを処理して画像データを生成する画像処理部と、
一時的に撮像データあるいは画像データを格納可能な本体側内蔵メモリと、
画像データが記録され、前記カメラに着脱自在に装着される携帯型メモリとを備え、
前記画像処理部が、撮像データを前記補助内蔵メモリへ格納し、前記補助画像処理部によって、前記補助内蔵メモリへ格納された撮像データが処理されて生成された画像データが前記補助内蔵メモリへ一時的に格納された後、前記補助内蔵メモリへ格納された画像データを前記携帯型メモリへ記録することを特徴とするカメラ。
【請求項９】
連写撮影の場合、撮像データが前記補助内蔵メモリへ格納されることを特徴とする請求項８に記載のカメラ。
【請求項１０】
カメラと、
前記カメラに着脱自在に装着される補助機器とを備え、
前記補助機器が、
一時的に撮像データまたは画像データを格納可能な補助内蔵メモリと、
前記補助内蔵メモリに格納された撮像データを処理して画像データを生成する補助画像処理部と、
補助携帯型メモリとを有し、
前記カメラが、
撮像データを処理して画像データを生成する画像処理部と、
一時的に撮像データあるいは画像データを格納可能な本体側内蔵メモリと、
画像データが記録され、前記カメラに着脱自在に装着される携帯型メモリとを有し、
前記画像処理部が、撮像データを前記補助内蔵メモリへ格納し、
前記補助画像処理部が、前記補助内蔵メモリへ格納された撮像データを処理して画像データを生成し、生成した画像データを前記補助内蔵メモリへ一時的に格納し、
前記補助画像処理部が、生成した画像データを前記補助携帯型メモリへ記録することを特徴とすることを特徴とするカメラシステム。
【請求項１１】
連写撮影の場合、撮像データが前記補助内蔵メモリへ格納されることを特徴とする請求項１０に記載のカメラシステム。
【発明の詳細な説明】
【技術分野】
【０００１】
本発明は、一眼レフカメラに使用されるバッテリーグリップ（縦位置撮影用グリップ）などの補助機器が装着可能なデジタルカメラに関し、特に、画像処理に関する。
【背景技術】
【０００２】
デジタルカメラでは、撮像素子の画素数増加、画質の向上などによって、記録処理する画像データの情報量が多くなっており、画像データの記録処理を高速化させるため、例えばデジタルカメラ内にバッファメモリなど一時的に画像データを格納する補助メモリが組み込まれる。連続撮影時においては、２つのバッファメモリに画像データを分割しながら交互に格納させることにより、画像データを効率よくメモリカードへ記録することができる（特許文献１参照）。
【特許文献１】特開平７−１３５５８９号公報
【発明の開示】
【発明が解決しようとする課題】
【０００３】
カメラ本体に補助用バッファメモリを内蔵する場合、回路上にメモリ用スペースを確保しなければならず、カメラのコンパクト化に障害となり、製造コストアップに繋がる。また、高速データ処理の必要のない画像処理においては、電力消費の無駄になる。
【課題を解決するための手段】
【０００４】
本発明のデジタルカメラシステムは、デジタルカメラと、一眼レフカメラ用バッテリーグリップ／コントロールグリップなど外付け補助機器とを備えたカメラシステムであり、補助機器はデジタルカメラに着脱自在に接続可能である。
【０００５】
本発明のカメラは、データを処理して画像データを生成する画像処理部と、一時的に撮像データあるいは画像データを格納可能な本体側内蔵メモリと、画像データが記録され、カメラに着脱自在に装着される携帯型メモリとを備える。例えば、内蔵型メモリとしてバッファメモリが設けられ、携帯型メモリとしてメモリカードが設けられる。ここでの撮像データは、撮像素子から読み出された画像信号の（映像用データ生成前の）データを示し、ここでの画像データは、撮像データに対して画像記録のため所定の信号処理が施された画像データを表し、圧縮規格あるいは映像規格等に従った外部への出力可能なデータである画像データ、出力前に一時的にメモリ等に格納される画像データなどを含む。
【０００６】
本発明の補助機器は、一時的に撮像データまたは画像データを格納可能な補助内蔵型メモリを有し、たとえばバッファメモリが内蔵される。そして、カメラの画像処理部は、撮像データまたは画像データを本体側内蔵メモリまたは補助内蔵メモリへ格納する。補助内蔵メモリを使用することによって、情報量の多い画像データの処理が可能となり、必要なときだけ使用するので消費電力が抑えられる。
【０００７】
画像データの生成処理とそれ以外のカメラの動作処理を別々に行ってデータ処理効率を向上させるため、補助機器に補助画像処理部を設け、補助画像処理部が、補助内蔵メモリに格納された撮像データを処理して画像データを生成するのが望ましい。例えば、カメラに連写撮影動作処理を実行する連写撮影動作処理手段を備えられた場合、画像データの生成は補助機器で行われるので、連写撮影における撮影処理速度が向上する。
【０００８】
さらに、補助機器に補助携帯型メモリを設け、補助画像処理部が、生成した画像データを補助携帯型メモリへ記録するのが望ましい。メモリカードへ画像データを記録するときに発生するノイズが、カメラ本体内で実行される他の信号処理に影響しない。
【０００９】
高速の画像処理を必要なときだけ行うため、例えば、カメラに補助機器の接続を検出する接続検出手段を設け、画像処理部が、補助機器が接続されている場合、撮像データを補助内蔵メモリへ格納させるのがよい。
【００１０】
本発明のカメラシステムは、カメラと、カメラに着脱自在に装着される補助機器とを備え、補助機器が、一時的に撮像データまたは画像データを格納可能な補助内蔵メモリと、補助内蔵メモリに格納された撮像データを処理して画像データを生成する補助画像処理部とを有し、カメラが、撮像データを処理して画像データを生成する画像処理部と、一時的に撮像データあるいは画像データを格納可能な本体側内蔵メモリと、画像データが記録され、カメラに着脱自在に装着される携帯型メモリとを有し、画像処理部が、撮像データを本体側内蔵メモリまたは補助内蔵メモリへ格納し、補助内蔵メモリへ格納された画像データを携帯型メモリへ記録することを特徴とする。
【００１１】
本発明のカメラシステムは、カメラに着脱自在に装着される補助機器とを備え、補助機器が、一時的に撮像データまたは画像データを格納可能な補助内蔵メモリと、補助内蔵メモリに格納された撮像データを処理して画像データを生成する補助画像処理部と、補助携帯型メモリとを有し、カメラが、撮像データを処理して画像データを生成する画像処理部と、一時的に撮像データあるいは画像データを格納可能な本体側内蔵メモリと、画像データが記録され、カメラに着脱自在に装着される携帯型メモリとを有し、画像処理部が、撮像データを本体側内蔵メモリまたは補助内蔵メモリへ格納し、補助画像処理部が、生成した画像データを補助携帯型メモリへ記録することを特徴とすることを特徴とする。
【発明の効果】
【００１２】
本発明によれば、コンパクト化、低消費電力を維持しながら、画像データ処理を迅速に行うことができる。
【発明を実施するための最良の形態】
【００１３】
以下、図面を参照して本発明の実施形態について説明する。
【００１４】
図１は、第１の実施形態であるデジタルカメラシステムのブロック図である。
【００１５】
デジタルカメラ１０は、ＣＣＤ２０を備えた一眼レフ型カメラであり、バッテリーグリップ５０がデジタルカメラ１０に対して着脱自在に装着可能である。バッテリーグリップ５０は、電池（図示せず）内蔵型の補助機器であるとともに、横位置撮影とともに縦位置撮影を可能にするようにレリーズボタン５４が設けられている。バッテリーグリップ５０は、カメラ１０に着脱自在に装着される。
【００１６】
モードダイヤル（図示せず）の操作によって撮影モードが設定されている場合、撮影光学系１５を通った光は、クイックリターンミラー１８によってペンタプリズム１４へ導かれる。ペンタプリズム１４において反射した光は接眼レンズ１６へ導かれ、これにより被写体像がユーザによって確認される。
【００１７】
レリーズボタン３２が半押しされた場合、ペンタプリズム１４の傍に設けられた測光部およびクイックリターンミラー１８の下部に設けられた測距部（いずれも図示せず）において被写体の明るさが測定されるとともに露出値が演算される。そして、ＡＦ制御部（図示せず）によって合焦動作が実行され、モータドライバ３４へ制御信号が送られると、モータ４０が撮影光学系１２を光軸に沿って駆動する。そして、レリーズボタン３２が全押しされると、クイックリターンミラー１８が光路から退避するように回転し、シャッタ（図示せず）が所定期間開く。これにより、撮影光学系１２通った光による被写体像がＣＣＤ２０の受光面に形成される。
【００１８】
ＣＣＤ２０では、被写体像に応じた１フレーム分の画像信号が読み出され、読み出された画像信号は、信号処理回路２２において増幅処理が施され、デジタル信号に変換された後、撮像データとして画像処理部２８へ送られる。
【００１９】
画像処理部２８は、ＤＳＰ（Digital Signal Processor）によって構成され、撮像データに対してホワイトバランス、γ補正、色変換処理など様々な処理を実行し、画像データを生成する。撮像データはバッファメモリ３６へ一時的に格納され後、画像処理部２８において処理され、画像データが生成される。そしてバッファメモリ３６へ再び一時的に格納された後、画像処理部２８において圧縮処理が施され、圧縮画像データがメモリカード３８へ記録される。
【００２０】
モードダイヤルボタンに対する操作によって再生モードが選択された場合、メモリカード３８に記録された圧縮画像データが伸張され、伸張処理された画像データがＬＣＤドライバ２４へ送られる。ＬＣＤドライバ２４は、画像データに基づいてＬＣＤモニタ２６を駆動し、これにより、被写体像がＬＣＤモニタ２６に表示される。
【００２１】
システムコントロール回路３０は、デジタルカメラ１０の撮影動作を制御し、バッテリーグリップ５０の接続を検出する。バッテリーグリップ５０内には、バッファメモリ５２が設けられており、画像データはシステムバス（図示せず）を介して画像処理部２８からバッファメモリ５２へ送信可能である。
【００２２】
バッテリーグリップ５０が接続され、モードダイヤルボタンに対する操作によって連写撮影モードが設定された場合、連続的に被写体像に応じた画像信号がＣＣＤ２０から所定の時間間隔で順次読み出される。読み出された画像信号に基づき、画像処理部２８では画像データが順次生成される。生成された画像データは順次バッファメモリ３６へ格納され、画像データのデータ量がバッファメモリ３６の容量を超えた場合、バッテリーグリップ５０のバッファメモリ５２へ画像データが格納される。
【００２３】
以上のように第１の実施形態によれば、バッテリーグリップ５０にバッファメモリ５２が設けられ、画像データがバッファメモリ５２へ格納される。
【００２４】
次に、図２〜図７を用いて、第２の実施形態であるデジタルカメラについて説明する。第２の実施形態では、バッテリーグリップにおいて画像処理が施される。それ以外の構成については、第１の実施形態と同じである。
【００２５】
図２は、第２の実施形態であるデジタルカメラのブロック図である。
【００２６】
バッテリーグリップ５０’は、画像処理部５６’を備え、システムバスを介してカメラ１０の画像処理部２８との間でデータが伝送される。画像処理部５６’には、バッファメモリ５２’が接続される。
【００２７】
バッテリーグリップ５０’が装着された状態で連写撮影モードが設定された場合、カメラ１０の画像処理部２８へ送られた撮像データは、そのままバッテリーグリップ５０’の画像処理部５６’へ送られる。画像処理部５６’では、撮像データに対して画像処理が施され、画像データが生成される。画像データは、一度増設バッファメモリ５２’へ格納された後、デジタルカメラ１０のメモリカード３８へ圧縮されて記録される。カメラ１０の画像処理部２８は、画像処理部５６’が動作している間、画像データ生成処理を行わない。
【００２８】
図３は、第２の実施形態における撮影動作処理を示したフローチャートである。この処理は、システムコントロール回路３０によって実行される。
【００２９】
ステップＳ１０１は、レリーズボタン押下禁止であるか否か、すなわち撮影動作禁止であるか否かが判断される。後述するように、バッファメモリ３６において撮像データを格納する容量がない場合にはレリーズボタン押下禁止となる。レリーズボタン押下禁止であると判断された場合、ステップＳ１０１が繰り返し実行される。一方、撮像データを格納する容量がバッファメモリ３６にある場合、ステップＳ１０２へ進む。
【００３０】
ステップＳ１０２では、レリーズボタン３２がＯＮ状態であるか、すなわち撮影のためレリーズボタン３２が全押しされたか否かが判断される。レリーズボタン３２がＯＮ状態ではないと判断されると、ステップＳ１０２が繰り返し実行される。レリーズボタン３２がＯＮ状態であると判断された場合、ステップＳ１０３へ進み、撮影動作処理が実行される。すなわち、シャッタが所定期間開き、被写体像がＣＣＤ２０の受光面に形成される。そして、１フレーム分の画像信号がＣＣＤ２０から読み出され、撮像データが画像処理部２８へ送られる。なお、バッテリーグリップ５０’が接続されている場合、ステップＳ１０２では、レリーズボタン５４’が操作されたか否かが判断される。
【００３１】
ステップＳ１０４では、撮影動作処理の完了を通知するためのフラグが立てられ、また、レリーズ操作禁止のためのフラグが立てられる。
【００３２】
図４は、第２の実施形態におけるカメラ１０の撮像データ取得処理を示したフローチャートである。この処理は、画像処理部２８によって実行される。
【００３３】
ステップＳ２０１では、撮影動作処理が完了したか、すなわち図３のステップＳ１０４において撮影動作完了のフラグが立てられたか否かが判断される。撮影動作が完了していないと判断されると、ステップＳ２０１が繰り返し実行される。一方、撮影動作処理が完了していると判断された場合、ステップＳ２０２へ進む。
【００３４】
ステップＳ２０２では、バッテリーグリップ５０’が接続されているか否かが判断される。バッテリーグリップ５０’が接続されていないと判断された場合、ステップＳ２０３へ進み、撮像データがそのままバッファメモリ３６へ転送される。一方、バッテリーグリップ５０’が接続されていると判断された場合、ステップＳ２０４へ進み、撮像データがバッテリーグリップ５０’のバッファメモリ５２に転送される。
【００３５】
ステップＳ２０５では、ステップＳ２０３またはＳ２０４において撮像データが転送されたバッファメモリに対し、撮像データを格納する容量があるか否かが判断される。バッファメモリの空き容量がないと判断された場合、ステップＳ２０６へ進み、レリーズボタン禁止のフラグが立てられる。一方、バッファメモリの空き容量があると判断された場合、ステップＳ２０７へ進み、レリーズボタン押下許可に設定される。図３のステップＳ１０1の判断は、ステップＳ２０６、Ｓ２０７の処理に基づいて行われる。
【００３６】
図５は、第２の実施形態におけるカメラ１０の画像処理を示したフローチャートである。この処理は、画像処理部１２によって実行される。
【００３７】
ステップＳ３０１では、バッファメモリ３６内に処理されていない撮像データがあるか否かが判断される。撮像データが存在しないと判断された場合、ステップＳ３０１が繰り返し実行される。一方、撮像データが存在すると判断された場合、ステップＳ３０２に進み、撮像データに対して所定の処理が施され、画像データが生成される。そして、ステップＳ３０３では、画像データをメモリカード３８へ記録するためのコマンドが設定される。
【００３８】
図６は、第２の実施形態におけるカメラ１０の画像記録処理を示したフローチャートである。この処理は、画像処理部２８によって実行される。
【００３９】
ステップＳ４０１では、カメラ１０のバッファメモリ３６内にメモリカード３８へ記録すべき画像データが存在するか否かが判断される。バッファメモリ３６にメモリカード３８へ記録すべき画像データが存在すると判断された場合、ステップＳ４０２へ進み、バッファメモリ３６内の画像データが圧縮されてメモリカード３８へ記録される。そして、ステップＳ４０３では、バッファメモリ３６内の画像データが消去される。
【００４０】
一方、ステップＳ４０１において、カメラ１０のバッファメモリ３６内にメモリカード３８へ記録すべき画像データが存在しないと判断された場合、ステップＳ４０４へ進み、バッテリーグリップ５０’のバッファメモリ５２にメモリカード３８へ記録すべき画像データが存在するか否かが判断される。バッファメモリ５２にメモリカード３８へ記録すべき画像データが存在しないと判断された場合、ステップＳ４０１へ戻る。一方、バッファメモリ５２にメモリカード３８へ記録すべき画像データが存在すると判断された場合、ステップＳ４０５へ進み、バッファメモリ３５６内の画像データがメモリカード３８へ記録される。そして、ステップＳ４０６では、バッファメモリ５２内の画像データが消去される。
【００４１】
図７は、第２の実施形態におけるバッテリーグリップ５０’の画像処理を示したフローチャートである。この処理は、画像処理部５６’によって実行される。
【００４２】
ステップＳ５０１では、バッファメモリ５２内に処理されていない撮像データがあるか否かが判断される。撮像データが存在しないと判断された場合、ステップＳ５０１が繰り返し実行される。一方、撮像データが存在すると判断された場合、ステップＳ５０２に進み、撮像データに対して所定の処理が施され、画像データが生成される。そして、ステップＳ５０３では、画像データをメモリカード３８へ記録処理を行うためのコマンドが設定される。これにより、ステップＳ４０５において画像データがメモリカード３８へ記録される。
【００４３】
このように第２の実施形態によれば、バッテリーグリップ５０’に画像処理部５６’が設けられており、バッファメモリ５２’に転送された撮像データが画像処理部５６’において処理されて画像データが生成される。画像データはバッファメモリ５２’へ格納された後、カメラ１０のメモリカード３８へ記録される。
【００４４】
連写撮影する場合、画像データの生成処理がバッテリーグリップ５０’の側で独立して実行できるため、連写撮影処理の時間間隔を短縮することができるとともに、カメラ本体側でのデータ処理速度を上げることができる。
【００４５】
次に、図８〜図１４を用いて、第３の実施形態について説明する。第３の実施形態では、バッテリーグリップ内において画像データがメモリカードに記憶される。それ以外の構成については、第２の実施形態と同じである。
【００４６】
図８は、第３の実施形態におけるデジタルカメラのブロック図である。
【００４７】
バッテリーグリップ５０”は、画像処理部５６”、レリーズボタン５４”、バッファメモリ５２”、メモリカード５８”とを備え、カメラ１０に着脱自在に接続される。画像処理部５６”において生成される画像データは、メモリカード５８”へ記録可能である。
【００４８】
図９は、第３の実施形態における撮影動作処理を示したフローチャートである。ステップＳ６０１〜Ｓ６０４の実行は、図３のステップＳ１０１〜Ｓ１０４の実行と同じである。すなわち、撮影動作禁止でない状態でレリーズボタンがＯＮになると、撮影動作処理が実行される。
【００４９】
図１０は、第３の実施形態におけるカメラ１０の撮像データ取得処理を示したフローチャートである。ステップＳ７０１〜Ｓ７０７の実行は、図４のステップＳ２０１〜Ｓ２０７の実行と同じである。すなわち、バッテリーグリップ５０”が取付けられていない場合には撮像データがバッファメモリ３６へ転送され、バッテリーグリップ５０”が取付けられている場合には撮像データがバッファメモリ５２”へ転送される。
【００５０】
図１１は、第３の実施形態におけるカメラ１０の画像処理を示したフローチャートである。ステップＳ８０１〜Ｓ８０３は、図５のステップＳ３０１〜Ｓ３０３と同じである。すなわち、カメラ１０のバッファメモリ３６に撮像データがある場合（カメラ１０にバッテリーグリップ５０”が取付けられていない場合）、画像処理部２８において画像データが生成される。
【００５１】
図１２は、第３の実施形態におけるカメラ１０の画像記録処理を示したフローチャートである。
【００５２】
ステップＳ９０１では、カメラ１０のバッファメモリ３６内にメモリカード３８へ記録すべき画像データが存在するか否かが判断される。バッファメモリ３６にメモリカード３８へ記録すべき画像データが存在しないと判断されると、ステップＳ９０１が繰り返し実行される。一方、記録すべき画像データが存在すると判断された場合、ステップＳ９０２へ進み、バッファメモリ３６内の圧縮画像データがメモリカード３８へ記録される。そして、ステップＳ９０３では、バッファメモリ３６内の画像データが消去される。
【００５３】
図１３は、第３の実施形態におけるバッテリーグリップ５０”の画像処理を示したフローチャートである。ステップＳ１００１〜Ｓ１００３の実行は、図７のステップＳ５０１〜Ｓ５０３の実行と同じである。すなわち、バッファメモリ５２”内に撮像データが存在する場合、画像処理部５６”において画像データが生成される。
【００５４】
図１４は、第３の実施形態におけるバッテリーグリップ５０”の画像記録処理を示したフローチャートである。この処理は、画像処理部５６”によって実行される。
【００５５】
ステップＳ１０１１では、バッテリーグリップ５０”のバッファメモリ５２”内にメモリカード５８”へ記録すべき画像データが存在するか否かが判断される。バッテリーグリップ５０”のバッファメモリ５２”内にメモリカード５８”へ記録すべき画像データが存在しないと判断されると、ステップＳ１０１１が繰り返し実行される。一方、画像データが存在すると判断された場合、ステップＳ１０１２へ進み、バッファメモリ５２”内の圧縮画像データがメモリカード５８”へ記録される。そして、ステップＳ１０１３では、バッファメモリ５６”内の圧縮画像データが消去される。
【００５６】
このように第３の実施形態によれば、バッテリーグリップ５０”が接続されている場合、画像処理部５６”において画像データが生成され、画像データがメモリカード５８”に記録される。
【００５７】
連写撮影の場合、画像データ生成処理、記録処理がバッテリーグリップ５０”において行われるため、撮影処理の高速化が実現でき、カメラの消費電力を抑えることができる。また、メモリカードへ画像データを記録するときに発生するノイズの影響がカメラ本体に影響しない。
【００５８】
バッファメモリ以外のメモリをカメラ、バッテリーグリップに内蔵してもよく、メモリカード以外の着脱自在に装着可能なメモリを使用してもよい。また、バッテリーグリップ以外の補助機器にも適用してもよく、例えばカメラが撮影機能付き携帯電話として適用される場合、携帯電話にあわせたアクセサリー機器に適用してもよい。
【図面の簡単な説明】
【００５９】
【図１】第１の実施形態であるデジタルカメラシステムのブロック図である。
【図２】第２の実施形態であるデジタルカメラのブロック図である。
【図３】第２の実施形態における撮影動作処理を示したフローチャートである。
【図４】第２の実施形態におけるカメラの撮像データ取得処理を示したフローチャートである。
【図５】第２の実施形態におけるカメラの画像処理を示したフローチャートである。
【図６】第２の実施形態におけるカメラの画像記録処理を示したフローチャートである。
【図７】第２の実施形態におけるバッテリーグリップの画像処理を示したフローチャートである。
【図８】第３の実施形態におけるデジタルカメラのブロック図である。
【図９】第３の実施形態における撮影動作処理を示したフローチャートである。
【図１０】第３の実施形態におけるカメラの撮像データ取得処理を示したフローチャートである。
【図１１】第３の実施形態におけるカメラの画像処理を示したフローチャートである。
【図１２】第３の実施形態におけるカメラの画像記録処理を示したフローチャートである。
【図１３】第３の実施形態におけるバッテリーグリップの画像処理を示したフローチャートである。
【図１４】第３の実施形態におけるバッテリーグリップの画像記録処理を示したフローチャートである。
【符号の説明】
【００６０】
１０  デジタルカメラ
２８  画像処理部（画像処理部）
３６  バッファメモリ（本体側内蔵メモリ）
３８  メモリカード（携帯型メモリ）
５０、５０’、５０”  バッテリーグリップ（補助機器）
５２、５２’、５２”  バッファメモリ（補助内蔵メモリ）
５６’、５６”  画像処理部（補助画像処理部）
５８”  メモリカード（補助携帯型メモリ）
【図１】
0004751692.tif 000002
【図２】
0004751692.tif 000003
【図３】
0004751692.tif 000004
【図４】
0004751692.tif 000005
【図５】
0004751692.tif 000006
【図６】
0004751692.tif 000007
【図７】
0004751692.tif 000008
【図８】
0004751692.tif 000009
【図９】
0004751692.tif 000010
【図１０】
0004751692.tif 000011
【図１１】
0004751692.tif 000012
【図１２】
0004751692.tif 000013
【図１３】
0004751692.tif 000014
【図１４】
0004751692.tif 000015